(57)【要約】【課題】対物レンズの種類に対応した光量設定・再現機能に加えて、別途に光量設定・再現機能を付与することにより、観察を容易に行いうる顕微鏡装置を提供する。【解決手段】顕微鏡装置１は、光源部１０７ａと、複数の対物レンズ１０５を保持し、対物レンズ１０５を光路Ｌ上に切り替え可能に配置するレボルバ１０６と、光路Ｌ上に配置された対物レンズ１０５を検出するセンサ１０６ａと、対物レンズ１０５毎に設定された第１照明光量を記憶する第１照明光量テーブルと、観察者が指定する第２照明光量を記憶する第２照明光量テーブルと、前記第１照明光量および前記第２照明光量の有効、無効を設定する照明光量設定部１１４と、照明光量設定部１１４で有効に設定された前記第１照明光量または前記第２照明光量に光源部１０７ａを制御する照明制御部１１５と、を備えることを特徴とする。【選択図】図１
2018173559.tif 000002
【特許請求の範囲】
【請求項１】
標本に照明光を照射する光源部と、
複数の対物レンズを保持し、前記対物レンズを光路上に切り替え可能に配置するレボルバと、
前記光路上に配置された対物レンズを検出するセンサと、
前記複数の対物レンズ毎に設定された第１照明光量を記憶する第１照明光量テーブルと、
観察者が指定する第２照明光量を記憶する第２照明光量テーブルと、
前記第１照明光量および前記第２照明光量の有効、無効を設定する照明光量設定部と、
前記照明光量設定部で有効に設定された前記第１照明光量または前記第２照明光量に前記光源部を制御する照明制御部と、
を備えることを特徴とする顕微鏡装置。
【請求項２】
前記照明光量設定部は、
前記第１照明光量の有効または無効を設定する第１照明光量スイッチと、
前記第２照明光量の有効または無効を設定する第２照明光量スイッチと、
を有し、前記照明制御部は、前記第１照明光量スイッチおよび前記第２照明光量スイッチがともに有効に設定された場合、前記第２照明光量に前記光源部を制御することを特徴とする請求項１に記載の顕微鏡装置。
【請求項３】
前記光源部は、ＬＥＤであることを特徴とする請求項１または２に記載の顕微鏡装置。
【請求項４】
観察方法を設定する観察法設定部を備え、
前記照明制御部は、前記観察法設定部で設定された観察法に応じて、前記第１照明光量または前記第２照明光量を増減することを特徴とする請求項１〜３のいずれか一つに記載の顕微鏡装置。
【請求項５】
前記顕微鏡装置は、複数の観察者が個別に前記標本を観察可能な複数の中間鏡筒を接続可能とし、
前記照明制御部は、接続された中間鏡筒の数に応じて、前記第１照明光量または前記第２照明光量を増減することを特徴とする請求項１〜３のいずれか一つに記載の顕微鏡装置。
【請求項６】
前記第２照明光量テーブルは、観察者が指定する第２照明光量と第１照明光量の差分を記憶し、
前記照明制御部は、前記第２照明光量スイッチが有効に設定された場合、前記第１照明光量に前記差分を付加した第２照明光量に前記光源部を制御することを特徴とする請求項１〜５のいずれか一つに記載の顕微鏡装置。
【請求項７】
前記第１照明光量を入力する第１照明光量入力部と、
前記第２照明光量を入力する第２照明光量入力部と、
を備えることを特徴とする請求項１〜６のいずれか一つに記載の顕微鏡装置。
【請求項８】
前記第１照明光量スイッチと前記第２照明光量スイッチは、１つのモーメンタリスイッチ、ダイヤル式スイッチ、またはエンコーダスイッチで構成されることを特徴とする請求項１、３〜６のいずれか一つに記載の顕微鏡装置。
【発明の詳細な説明】
【技術分野】
【０００１】
本発明は、ステージ上に載置された標本を観察する顕微鏡装置に関する。
【背景技術】
【０００２】
従来、複数の対物レンズを切り替え，光路に配置可能にするレボルバを備えた顕微鏡装置において、観察者は対物レンズを適宜切り替えて標本の観察を行う。対物レンズの倍率により最適な照明光の光量が異なるため、対物レンズを切り替える際、照明光の光量を調整する必要がある。
【０００３】
対物レンズの切り替えの際の照明光の光量調整の手間を省く技術として、センサにより光路上に位置するレボルバの穴番号を検出し、予めメモリに記憶された穴番号に対応する対物レンズに最適な照明光の光量を取得して、照明光の光量を制御する光量設定・再現機能が提案されている（例えば、特許文献１参照）。
【先行技術文献】
【特許文献】
【０００４】
【特許文献１】特開２００４−８５９５９号公報
【発明の概要】
【発明が解決しようとする課題】
【０００５】
特許文献１では、対物レンズ切り替えの際の照明光の光量調整を省略できるものの、現在観察している対物レンズで、標本の厚みの異なる部位を観察したい場合には、観察者は照明光量の調整を行う必要がある。同種の複数の標本を観察する場合には、標本毎に、照明光量を調整するのは手間がかかり、観察者による照明光量の調整では再現性に欠ける場合がある。
【０００６】
本発明は、上記に鑑みてなされたものであって、対物レンズの種類に対応した光量設定・再現機能に加えて、別途に光量設定・再現機能を付与することにより、観察を容易に行いうる顕微鏡装置を提供することを目的とする。
【課題を解決するための手段】
【０００７】
上述した課題を解決し、目的を達成するために、本発明に係る顕微鏡装置は、標本に照明光を照射する光源部と、複数の対物レンズを保持し、前記対物レンズを光路上に切り替え可能に配置するレボルバと、前記光路上に配置された対物レンズを検出するセンサと、前記複数の対物レンズ毎に設定された第１照明光量を記憶する第１照明光量テーブルと、観察者が指定する第２照明光量を記憶する第２照明光量テーブルと、前記第１照明光量および前記第２照明光量の有効、無効を設定する照明光量設定部と、前記照明光量設定部で有効に設定された前記第１照明光量または前記第２照明光量に前記光源部を制御する照明制御部と、を備えることを特徴とする。
【０００８】
また、本発明に係る顕微鏡装置は、上記発明において、前記照明光量設定部は、前記第１照明光量の有効または無効を設定する第１照明光量スイッチと、前記第２照明光量の有効または無効を設定する第２照明光量スイッチと、を有し、前記照明制御部は、前記第１照明光量スイッチおよび前記第２照明光量スイッチがともに有効に設定された場合、前記第２照明光量に前記光源部を制御することを特徴とする。
【０００９】
また、本発明に係る顕微鏡装置は、上記発明において、前記光源部は、ＬＥＤであることを特徴とする。
【００１０】
また、本発明に係る顕微鏡装置は、上記発明において、観察方法を設定する観察法設定部を備え、前記照明制御部は、前記観察法設定部で設定された観察法に応じて、前記第１照明光量または前記第２照明光量を増減することを特徴とする。
【００１１】
また、本発明に係る顕微鏡装置は、上記発明において、前記顕微鏡装置は、複数の観察者が個別に前記標本を観察可能な複数の中間鏡筒を接続可能とし、前記照明制御部は、接続された中間鏡筒の数に応じて、前記第１照明光量または前記第２照明光量を増減することを特徴とする。
【００１２】
また、本発明に係る顕微鏡装置は、上記発明において、前記第２照明光量テーブルは、観察者が指定する第２照明光量と第１照明光量の差分を記憶し、前記照明制御部は、前記第２照明光量スイッチが有効に設定された場合、前記第１照明光量に前記差分を付加した第２照明光量に前記光源部を制御することを特徴とする。
【００１３】
また、本発明に係る顕微鏡装置は、上記発明において、前記第１照明光量を入力する第１照明光量入力部と、前記第２照明光量を入力する第２照明光量入力部と、を備えることを特徴とする。
【００１４】
また、本発明に係る顕微鏡装置は、上記発明において、前記第１照明光量スイッチと前記第２照明光量スイッチは、１つのモーメンタリスイッチ、ダイヤル式スイッチ、またはエンコーダスイッチで構成されることを特徴とする。
【発明の効果】
【００１５】
本発明に係る顕微鏡装置によれば、同一種類の標本について同じ対物レンズで観察する場合に、照明光量を手動で調整することなく、異なる２段階の照明光により、簡易に観察することができる。
【図面の簡単な説明】
【００１６】
【図１】図１は、本発明の実施の形態に係る顕微鏡装置の概略構成を示す模式図である。
【図２】図２は、照明光量操作部を示す図である。
【図３】図３は、第１照明光量テーブルの一例を示す図である。
【図４】図４は、第２照明光量テーブルの一例を示す図である。
【図５】図５は、第１照明光量スイッチと第２照明光量スイッチの関係を示す図である。
【図６】図６は、照明制御部のブロック図である。
【図７】図７は、調光テーブルの一例を示す図である。
【図８】図８は、照明光量入力部の指示値とＤ/Ａ変換入力値との関係を示す図である。
【図９】図９は、照明光量入力部の指示値とＬＥＤ電流値の関係を示す図である。
【図１０】図１０は、本実施の形態に係る照明光量の制御を説明するフローチャートである。
【図１１】図１１は、本発明の実施の形態の変形例１に係る照明光量操作部を示す図である。
【発明を実施するための形態】
【００１７】
以下、本発明を実施するための形態を図面とともに詳細に説明する。なお、以下の実施の形態により本発明が限定されるものではない。また、以下の説明において参照する各図は、本発明の内容を理解でき得る程度に形状、大きさ、および位置関係を概略的に示してあるに過ぎない。すなわち、本発明は、各図で例示された形状、大きさおよび位置関係のみに限定されるものではない。
【００１８】
（実施の形態）
図１は、本実施の形態に係る顕微鏡装置の概略構成を示す模式図である。図１に示す顕微鏡装置１は、机上に載置されたフレーム部１０１と、標本ＳＰが載置されるステージ１０２と、ステージ１０２を垂直方向（上下方向）へ移動可能に保持する保持台１０３と、フレーム部１０１の内部に設けられた図示しないラックやピニオン等の機構を介して保持台１０３と接続され、保持台１０３を介してステージ１０２を垂直方向へ移動させる回転焦準部１０４と、フレーム部１０１に設けられ、標本ＳＰ上に配置する互いに倍率が異なる複数の対物レンズ１０５を選択的に光路Ｌ上に配置するレボルバ１０６と、フレーム部１０１に対して着脱可能に取り付けられ、ＬＥＤ光源で構成され、標本ＳＰを照射する光線を投射する光源部１０７ａが設けられたランプハウス１０７と、光源部１０７ａから照射された照明光を図示しない照明光学系によって平行光に変換し、この平行光に変換された照明光を標本ＳＰに向けて反射するミラー１０８と、ミラー１０８から反射された照明光を標本ＳＰに照射するコンデンサレンズ１０９と、フレーム部１０１のアーム部１１０の上面に固定され、対物レンズ１０５を介して入射された標本ＳＰの観察像をミラー１１１ａに反射し、内部に設けられた図示しない結像レンズ等によって結像する鏡筒１１１と、鏡筒１１１に取り付けられ、接眼レンズ１１２によって標本ＳＰの観察像を拡大して観察する双眼部１１３と、光源部１０７ａが発する照明光の光量を調整する照明光量操作部１１４と、光源部１０７ａに通信可能に接続され、照明光量操作部１１４から入力された調光信号に応じて光源部１０７ａの明るさを制御する照明制御部１１５と、を備える。また、レボルバ１０６には、光路Ｌ上に配置されている対物レンズ１０５を検出するセンサ１０６ａが設けられている。
【００１９】
図２は、照明光量操作部１１４を示す図である。照明光量操作部１１４は、レボルバ１０６に保持される複数の対物レンズ１０５毎に、光源部１０７ａから照射する照明光の光量を調整する第１照明光量操作部１１６と、特定の対物レンズ１０５、例えば、最も倍率が高い対物レンズ１０５について、第１照明光量操作部１１６で設定した照明光量と異なる光量であって、観察者が指定する光量に調整する第２照明光量操作部１１７と、を備える。
【００２０】
第１照明光量操作部１１６は、複数の対物レンズ１０５の種類（倍率）に応じて対物レンズ１０５毎に設定される第１照明光量を設定するものである。第１照明光量操作部１１６は、第１照明光量が有効（ＯＮ）か無効（ＯＦＦ）かの指示を受け付ける第１照明光量スイッチ１１６ａと、第１照明光量の入力を受け付ける回転可能な第１照明光入力部１１６ｂと、第１照明光入力部１１６ｂで入力された第１照明光量を確定する第１照明光量セット部１１６ｃと、を有する。
【００２１】
第１照明光量スイッチ１１６ａの押圧により第１照明光量の有効（ＯＮ）、無効（ＯＦＦ）の切り替えが行われる。第１照明光量スイッチ１１６ａを押圧して有効（ＯＮ）とし、第１照明光入力部１１６ｂを回転して、光路Ｌに配置されている対物レンズ１０５の光量を調整する。接眼レンズ１１２で観察しながら光量を調整し、最適な光量に調整した後、第１照明光量セット部１１６ｃを押圧することにより、光路Ｌに配置されている対物レンズ１０５の第１照明光量が確定する。確定した照明光量は、後述する第１照明光テーブル１２３ａに記憶される（図５参照）。図３は、第１照明光量テーブル１２２ａの一例を示す図である。図３に示すように、第１照明光量テーブル１２２ａには、対物レンズ１０５が配置されるレボ穴の位置毎に、第１照明光量入力部１１６ｂで入力した第１照明光量の指示値と、指示値に対応するＤ／Ａ変換入力値とが記憶されている。観察者は、レボルバ１０６に保持されるすべての対物レンズ１０５について、第１照明光量操作部１１６により第１照明光量を調整する。
【００２２】
第２照明光量操作部１１７は、第１照明光量操作部１１６で設定した照明光量と異なる光量であって、観察者が指定する第２照明光量を調整する。例えば、厚みのある標本ＳＰの表面近傍を第１照明光量で観察している場合に、同一の対物レンズ１１０５で同一の標本ＳＰの底面近傍等の厚みの異なる部位を観察する場合に最適な光量等を第２照明光量として設定する。第２照明光量を設定することにより、同一種の複数の標本ＳＰについて、同一の対物レンズ１０５で観察部位を変えて観察を行う場合に、調光操作を省略でき、観察者の疲労を軽減できる。
【００２３】
第２照明光量操作部１１７は、第２照明光量が有効（ＯＮ）か無効（ＯＦＦ）かの指示を受け付ける第２照明光量スイッチ１１７ａと、第２照明光量の入力を受け付ける回転可能な第２照明光量入力部１１７ｂと、を有する。
【００２４】
第２照明光量スイッチ１１７ａの押圧により第２照明光量の有効（ＯＮ）、無効（ＯＦＦ）の切り替えが行われる。第２照明光量スイッチ１１７ａを押圧して有効（ＯＮ）とし、第２照明光量入力部１１７ｂを回転して、光路Ｌに配置されている対物レンズ１０５の光量を調整する。接眼レンズ１１２で観察しながら光量を調整する。第２照明光量入力部１１７ｂで入力した第２照明光量は、第２照明光量テーブル１２２ｂに記憶される。図４は、第２照明光量テーブル１２２ｂの一例を示す図である。図４に示すように、第２照明光量テーブル１２２ｂには、第２照明光量入力部１１７ｂで入力した第２照明光量の指示値と、指示値に対応するＤ／Ａ変換入力値とが記憶されている。
【００２５】
図５は、第１照明光量スイッチ１１６ａと第２照明光量スイッチ１１７ａの関係を示す図である。図５に示すように、第１照明光量スイッチ１１６ａと第２照明光量スイッチ１１７ａがともに有効（ＯＮ）である場合、照明制御部１１５は、第２照明光量スイッチ１１７ａを有効とし、光路Ｌに配置されている対物レンズ１０５について第１照明光量テーブル１２２ａに記憶されている第１照明光量ではなく、第２照明光テーブル１２２ｂに記憶されている第２照明光量に光源部１０７ａを制御する。
【００２６】
第１照明光量スイッチ１１６ａと第２照明光量スイッチ１１７ａがともに無効（ＯＦＦ）の場合は、第１照明光量および第２照明光量とも無効であり、照明制御部１１５は第１照明光量入力部１１６ｂの指示値に光源部１０７ａの光量を制御する。第１照明光量スイッチ１１６ａまたは第２照明光量スイッチ１１７ａの一方が有効（ＯＮ）である場合は、照明制御部１１５は、光源部１０７ａを有効である照明光量に制御する。
【００２７】
図６は、照明制御部１１５のブロック図である。照明光制御部１１５は、照明光量操作部１１４から送信された出力信号をＡ／Ｄ変換するＡ/Ｄ変換部１２０と、各種処理プログラム、および調光テーブル１２１ａを記憶するＲＯＭ１２１と、第１照明光量テーブル１２２ａ、第２照明光量テーブル１２２ｂを記憶するＲＡＭ１２２と、ＲＯＭ１２１に記憶された処理プログラムを実行し、電気的に接続された各部の処理および動作を制御するＣＰＵ１２３と、ＣＰＵ１２３から出力された出力信号をＤ/Ａ変換するＤ/Ａ変換部１２４と、Ｄ/Ａ変換部１２４から入力されたＤ/Ａ変換入力値と、ＣＰＵ１２３から入力される最大電流切替信号に基づき、光源部１０７ａにＬＥＤ電流値を出力する定電流回路１２５と、を備える。
【００２８】
低倍率から高倍率の対物レンズ１０５を使用する場合、光源部１０７ａの最大光量を大きくする必要があり、低光量領域での調光分解能を維持することが困難となる。これは、最大ＬＥＤ電流値と、低光量域でのＬＥＤ電流値との差が大きくなるため、高いＤ/Ａ変換分解能が必要となり、低光量領域のＬＥＤ電流を制御するアナログ信号のレベルが微小になり、回路ノイズ等の影響を受けやすくなる為である。本実施の形態では、低光量領域と高光量領域とで、最大電流値を切り替え可能な定電流回路１２５を使用することにより、Ｄ/Ａ変換分解能や調光操作感を変えずに、低光量領域での高い調光分解能と高倍率の対物レンズ１０５で要求される高光量を両立している。
【００２９】
図７は、調光テーブル１２１ａの一例を示す図である。図７に示すように、照明光量入力部（第１照明光量入力部１１６ｂまたは第２照明光量入力部１１７ｂ）の指示値と、Ｄ/Ａ変換入力値と、ＬＥＤ電流値との関係が調光テーブル１２１ａとして記憶されている。
【００３０】
定電流回路１２５は、低光量領域と高光量領域とで最大電流値を切り替え可能であり、照明光量入力部の指示値の低光量領域（０〜１２７）に対応するＤ/Ａ変換入力値として０〜６５５３５、高光量領域（１２８〜２５５）に対応するＤ/Ａ変換入力値として２９１０〜６５５３５がそれぞれ使用されている。図８は、照明光量入力部の指示値とＤ/Ａ変換入力値との関係を示す図である。図８に示すように、低光量領域（０〜１２７）において、照明光量入力部の指示値の増加に伴いＤ/Ａ変換入力値も増加するが、照明光量入力部の指示値が低光量領域の最大指示値（１２７）を超えると、高光量領域（１２８〜２５５）となり、Ｄ/Ａ変換入力値は２９１０となり、それ以降は、照明光量入力部の指示値の増加に伴いＤ/Ａ変換入力値も増加する。
【００３１】
定電流回路１２５には、ＣＰＵ１２３から最大電流値切替信号、例えば、最大電流値が３０ｍＡ（低光量領域）か、７００ｍＡ（高光量領域）が送信され、Ｄ/Ａ変換部１２４から入力されたＤ/Ａ変換入力値を、送信された最大電流値に対応するＬＥＤ電流値として光源部１０７ａに出力する。例えば、Ｄ/Ａ変換入力値が６５５３５であって、最大電流値が３０ｍＡであればＬＥＤ電流値として３０ｍＡが出力され、最大電流値が７００ｍＡであれば、ＬＥＤ電流値として７００ｍＡが出力される。定電流回路１２５が、Ｄ/Ａ変換部１２４から入力されたＤ/Ａ変換入力値と、ＣＰＵ１２３から入力された最大電流値切替信号に基づき、光源部１０７ａに出力するＬＥＤ電流値を決定するため、図９に示すように、１つの照明光量入力部（第１照明光量入力部１１６ｂ、または第２照明光量入力部１１７ｂ）により、低光量領域から高光量領域まで連続したＬＥＤ電流値を、高いＤ/Ａ変換分解能で調光操作感を変えずに出力することができる。
【００３２】
次に、図１０を参照して、本実施の形態の照明光量の制御について説明する。図１０は、本実施の形態に係る照明光量の制御を説明するフローチャートである。
【００３３】
まず、照明制御部１１５は、第１照明光量スイッチ１１６ａおよび第２照明光量スイッチ１１７ａの状態を照明光量操作部１１４から取得する（ステップＳ１０１）。
【００３４】
第２照明光量スイッチ１１７ａが有効（ＯＮ）である場合（ステップＳ１０２：Ｙｅｓ）、第２照明光量テーブル１２２ｂから第２照明光量入力部１１７ｂから入力された指示値を取得する（ステップＳ１０３）。
【００３５】
照明制御部１１５は、ステップＳ１０３で取得した指示値をＤ/Ａ変換部１２４を介して定電流回路１２５に送信するとともに、最大電流値切替信号を送信することにより、光源部１０７ａの光量を第２照明光量に制御する（ステップＳ１０４）。
【００３６】
第２照明光量スイッチ１１７ａが無効（ＯＦＦ）であって（ステップＳ１０２：Ｎｏ）、第１照明光量スイッチ１１６ａが有効（ＯＮ）である場合（ステップＳ１０５：Ｙｅｓ）、センサにより光路Ｌ上の対物レンズ１０５の番号を取得する（ステップＳ１０６）。
【００３７】
照明制御部１１５は、第１照明光量テーブル１２２ａから光路Ｌ上の対物レンズ１０５の第１照明光量の指示値を取得し（ステップＳ１０７）、取得した指示値をＤ/Ａ変換部１２４を介して定電流回路１２５に送信するとともに、最大電流値切替信号を送信することにより、光源部１０７ａの光量を第１照明光量に制御する（ステップＳ１０８）。
【００３８】
第２照明光量スイッチ１１７ａが無効（ＯＦＦ）であって（ステップＳ１０２：Ｎｏ）、第１照明光量スイッチ１１６ａも無効（ＯＦＦ）である場合（ステップＳ１０５：Ｎｏ）、第１照明光量入力部１１６ｂの指示値を取得し（ステップＳ１０９）、取得した指示値をＤ/Ａ変換部１２４を介して定電流回路１２５に送信するとともに、最大電流値切替信号を送信することにより、光源部１０７ａの光量を第１照明光量入力部１１６ｂの指示値に制御する（ステップＳ１１０）。
【００３９】
本実施の形態では、対物レンズ１０５毎に第１照明光量を設定することにより、対物レンズ１０５切り替えの際の光量調整を省略できるとともに、同じ対物レンズ１０５で、同一標本ＳＰの厚さが異なる部位等、光量等を変化させて観察を行いたい場合についても、第２照明光量を設定できるので、所望の観察を簡易に行うことができる。
【００４０】
本実施の形態では、光源部１０７ａとしてＬＥＤ光源を使用するが、光源部１０７ａとしてハロゲンランプ等を使用することもできる。
【００４１】
（変形例１）
実施の形態１では、照明光量操作部１１４は、第１照明光量操作部１１６と、第２照明光量操作部１１７と、を備え、第１照明光量と第２照明光量とをそれぞれ設定しているが、第１照明光量スイッチ１１６ａと、第２照明光量スイッチ１１７ａと、を１つのスイッチとしてもよい。図１１は、本発明の実施の形態の変形例１に係る照明光量操作部１１４Ａを示す図である。
【００４２】
図１１に示すように、照明光量操作部１１４Ａは、第１照明光量または第２照明光量を選択する照明光量スイッチ１１４ａと、第１照明光量または第２照明光量の入力を受け付ける回転可能な照明光入力部１１４ｂと、照明光入力部１１４ｂで入力された第１照明光量または第２照明光量を確定する照明光量セット部１１４ｃと、を有する。
【００４３】
照明光量スイッチ１１４ａは、第１照明光量または第２照明光量の有効（ＯＮ）/無効（ＯＦＦ）のトリガとして、モーメンタリスイッチ、ダイヤル式スイッチ、またはエンコーダスイッチ等を採用することができる。変形例１では、第１照明光量または第２照明光量の設定を少ないスイッチで行うことができるという効果を有する。
【００４４】
（変形例２）
実施の形態１では、特定の対物レンズ１０５、例えば、最も高倍率の対物レンズ１０５において第２照明光量を設定するが、対物レンズ１０５毎に第２照明光量を設定してもよい。第２照明光量テーブル１２２ｂは、第１照明光量テーブル１２２ａに示すように、対物レンズ１０５毎に設定してもよい。また、第２照明光量テーブル１２２ｂには、観察者が第２照明光量入力部１１７ｂで調整した指示値と第１照明光量値との差分を記憶させ、第２照明光量が有効（ＯＮ）とされた場合、各対物レンズ１０５の第１照明光量に第２照明光量テーブル１２２ｂに記憶される差分を付加した照明光量を第２照明光量としてもよい。
【００４５】
（変形例３）
顕微鏡装置１が、明視野観察（ＢＦ）、微分干渉観察（ＤＩＣ）、位相差観察（ＰＨ）等の観察を行うことができる場合、観察方法によって同じ対物レンズ１０５を使用しても必要となる照明光量が異なる。そこで、観察法毎に第１照明光量テーブル１２２ａを記憶するとともに、第２照明光量テーブル１２２ｂについても観察法毎に第２照明光量を記憶することで、同一の標本ＳＰについて観察法を変えて観察を行う場合にも、第１照明光量スイッチ１１６ａまたは第２照明光量スイッチ１１７ａにより、第１照明光量または第２照明光量の有効（ＯＮ）、無効（ＯＦＦ）の選択により、照明光量の調整を行うことなく、所望する照明光量に調整が可能となる。
【００４６】
（変形例４）
顕微鏡装置１が、複数の観察者が、個別に標本ＳＰを観察可能な中間鏡筒を接続可能である場合、接続された中間鏡筒の数により、同じ対物レンズ１０５を使用しても必要となる照明光量が異なる。そこで、接続された中間鏡筒の数により、第１照明光量および第２照明光量を増減させるよう制御してもよい。なお、中間鏡筒は、フレーム部１０１と鏡筒１１１の間に接続されるものである。
【符号の説明】
【００４７】
１  顕微鏡装置
１０１  フレーム部
１０２  ステージ
１０３  保持台
１０４  回転焦準部
１０５  対物レンズ
１０６  レボルバ
１０７  ランプハウス
１０７ａ  光源部
１０８  ミラー
１０９  コンデンサレンズ
１１０  アーム部
１１１  鏡筒
１１２  接眼レンズ
１１３  双眼部
１１４  照明光量設定部
１１４ａ  照明光量スイッチ
１１４ｂ  照明光量入力部
１１４ｃ  照明光量セット部
１１５  照明制御部
１１６  第１照明光量操作部
１１６ａ  第１照明光量スイッチ
１１６ｂ  第１照明光量入力部
１１６ｃ  第１照明光量セット部
１１７  第２照明光量操作部
１１７ａ  第２照明光量スイッチ
１１７ｂ  第２照明光量入力部
Ｌ  光路
ＳＰ  標本
【図１】
2018173559.tif 000003
【図２】
2018173559.tif 000004
【図３】
2018173559.tif 000005
【図４】
2018173559.tif 000006
【図５】
2018173559.tif 000007
【図６】
2018173559.tif 000008
【図７】
2018173559.tif 000009
【図８】
2018173559.tif 000010
【図９】
2018173559.tif 000011
【図１０】
2018173559.tif 000012
【図１１】
2018173559.tif 000013